(57)【特許請求の範囲】
【請求項１】
スピーカを含むオーディオ回路と、照明回路と、携帯機器と通信する通信部と、
前記通信部を介して受信した複数のスケジュール情報を記憶するスケジュール記憶部と、
前記スケジュール情報に従ってスケジュールを実行するスケジュール実行部と、
を有するスピーカ装置であって、
前記スケジュール情報は、前記携帯機器で再生可能な楽曲のリスト、および、タイマ時刻、前記オーディオ回路および前記照明回路の動作条件を含み、
前記スケジュール実行部は、前記タイマ時刻に、前記動作条件に基づいて前記オーディオ回路および前記照明回路を制御するとともに、前記携帯機器に対して、前記リストに含まれる楽曲の再生および送信を要求し、
前記通信部は、前記携帯機器から受信した楽曲のオーディオ信号を前記オーディオ回路に入力する
スピーカ装置。
【請求項２】
前記照明回路の動作条件は、第１輝度情報、第２輝度情報および変化時間を含み、
前記スケジュール実行部は、前記タイマ時刻に、前記第１輝度情報の輝度で照明を点灯させるよう前記照明回路を制御し、その後、前記変化時間の時間を掛けて徐々に前記第２輝度情報の輝度まで前記照明の輝度を変化させるよう制御する
請求項１に記載のスピーカ装置。
【請求項３】
背面および上面に開口部を有する柱状の筐体を備え、
前記オーディオ回路は、前記背面の開口部に設けられた第１スピーカユニット、および、前記上面の開口部に設けられた第２スピーカユニットを備えた
請求項１または請求項２に記載のスピーカ装置。
【請求項４】
前記筐体の前記背面の開口部表面に設けられ、複数の穴が形成されたスピーカグリルをさらに有し、
前記照明回路は、前記スピーカグリルの内側に設けられ、前記スピーカグリル越しに背後の壁面に向けて光を照射する発光体を備えた
請求項３に記載のスピーカ装置。
【発明の詳細な説明】
【技術分野】
【０００１】
本発明は、スピーカ装置におけるオーディオの再生および照明のオン／オフのスケジュール設定に関する。
【背景技術】
【０００２】
従来より、照明と音声で目覚まし機能を備えたものがある（たとえば特許文献１参照）。特許文献１の装置は、照明とアラームで目覚ましを行う目覚まし装置で、照明をアラーム時刻前から徐々に明るくしてゆくものである。
【先行技術文献】
【特許文献】
【０００３】
【特許文献１】特開２００３−２１５２７９号公報
【発明の概要】
【発明が解決しようとする課題】
【０００４】
しかしながら、上記目覚まし装置における目覚まし時刻の設定は１種類であり、複数種類を設定することができなかった。また、点灯する照明の輝度や音楽再生などの音量を指定することができなかった。
【０００５】
本発明は、オーディオの再生と照明のオン／オフを多重且つ多様にスケジュールできるスピーカ装置を提供することを目的とする。
【課題を解決するための手段】
【０００６】
この発明のスピーカ装置は、スピーカを含むオーディオ回路と、照明回路と、携帯機器と通信する通信部と、通信部を介して受信した複数のスケジュール情報を記憶するスケジュール記憶部と、スケジュール情報に従ってスケジュールを実行するスケジュール実行部と、を有し、スケジュール情報は、携帯機器で再生可能な楽曲のリスト、および、タイマ時刻、オーディオ回路および照明回路の動作条件を含み、スケジュール実行部は、タイマ時刻に動作条件に基づいてオーディオ回路および照明回路を制御するとともに、携帯機器に対してリストに含まれる楽曲の再生および送信を要求し、通信部は、携帯機器から受信した楽曲のオーディオ信号をオーディオ回路に入力する。
【０００８】
上記発明において、照明回路の動作条件に、第１輝度情報、第２輝度情報および変化時間を含んでいてもよい。そして、スケジュール実行部が、タイマ時刻に第１輝度情報の輝度で照明を点灯させるよう照明回路を制御し、その後、変化時間の時間を掛けて徐々に第２輝度情報の輝度まで照明の輝度を変化させるよう制御してもよい。
【０００９】
上記発明において、背面および上面に開口部を有する柱状の筐体を備え、オーディオ回路が、背面の開口部に設けられた第１スピーカユニットおよび上面の開口部に設けられた第２スピーカユニットを備えていてもよい。
【００１０】
上記発明において、筐体の背面の開口部表面に設けられ、複数の穴が形成されたスピーカグリルをさらに設け、照明回路が、スピーカグリルの内側に設けられスピーカグリル越しに壁面に向けて光を照射する発光体を備えてもよい。
【発明の効果】
【００１１】
この発明によれば、複数のスケジュール情報を用いてオーディオ回路および照明回路を多重且つ多様にタイマ制御することが可能になる。
【図面の簡単な説明】
【００１２】
【図１】この発明の実施形態に係るスピーカ装置の外観図
【図２】スピーカ装置の上端に設けられるヘッドピースの斜視図
【図３】スピーカグリルを透過する光の広がりを説明する図
【図４】スピーカ装置の設置形態の例を示す図
【図５】スピーカ装置から壁面に投影された光のパターンを示す図
【図６】スピーカ装置の電子回路のブロック図
【図７】スピーカ装置のリモコン装置として機能する携帯電話機のブロック図
【図８】携帯電話機とアプリケーションプログラムの協働で構成されるＤＴＡコントローラ、および、スピーカ装置のスケジュール処理部の機能ブロック図
【図９】スケジュールテーブルを示す図
【図１０】リモコン装置の表示画面のツリー構造を説明する図
【図１１】スケジュール情報設定画面を示す図
【図１２】オンタイマ情報設定画面を示す図
【図１３】照明設定画面を示す図
【図１４】オーディオ設定画面を示す図
【発明を実施するための形態】
【００１３】
図面を参照して本発明の実施形態であるスピーカ装置について説明する。図１は、このスピーカ装置１の外観図であり、図１（Ａ）が正面図、図１（Ｂ）が右側面図、図１（Ｃ）が背面図である。
【００１４】
スピーカ装置１は、複数のスピーカが収容される筐体１１、筺体１１を床面から支持する円板状のベース１４、および、筺体１１とベース１４とを接続する棒状のピロー１３を備えている。筐体１１は、ピロー１３およびベース１４によって支持されて鉛直方向に立設される。
【００１５】
筐体１１は、略四角柱の形状をなしており、上方向に向けて若干幅が狭まっている。すなわち、正確には四角錐台形状（四角錐の頂点側（頭部）を底面に平行な面で水平に切削した形状）である。筐体１１の側面は、鉛直線に対して２パーセント傾斜している。スピーカ装置１は、２つの側面に挟まれる稜線部１９を正面（ユーザ方向）にして設置される。以下の説明では、正面方向を前方、背面方向を後方と呼ぶ。また、左右の方向は、正面方向のユーザからスピーカ装置１を見たときの方向を用いる。
【００１６】
このスピーカ装置１では、図１（Ｂ），（Ｃ）に示されるように、スピーカユニット２１０Ｌ、Ｒが後ろ向きに設けられており、筺体１１の背面側にスピーカグリル１２が設けられている。これにより、スピーカ装置１の正面側には、スピーカグリル１２を設ける必要がなくなる。
【００１７】
筐体１１の内部は、２枚の仕切り板によって仕切られており、上下方向に３つの空間を有する構造になっている。上部の空間がスピーカユニット２１１Ｃを収容する中音域用スピーカボックス３０、中央部の空間がスピーカユニット２１０Ｌ、Ｒを収容するステレオスピーカボックス３１、下部の空間が電子回路１５を収容する回路ボックス３２として用いられる。
【００１８】
また、中音域用スピーカボックス３０は上面に開口しており、この開口部にスピーカユニット２１１Ｃが上向きに取り付けられている。スピーカユニット２１１Ｃのさらに上には、スピーカユニット２１１Ｃから放音された音声を前方に反射するヘッドピース１０が設けられている。
【００１９】
スピーカユニット２１０Ｌ，Ｒは、低音域と高音域の放音を担当する左右チャンネル別のフルレンジのスピーカユニットである。スピーカユニット２１１Ｃは、中音域の放音を担当する左右チャンネル共通のミッドレンジ用のスピーカユニットである。ここで、中音域は主として人の声をカバーする周波数帯域であり、例えば１００Ｈｚ〜７０００Ｈｚの範囲である。なお、中音域はこれに限定されない。たとえば、電話回線の使用帯域である３００〜３４００Ｈｚとしてもよい。高音域は中音域よりも高い周波数帯域、低音域は中音域よりも低い周波数帯域である。以下、中音域の下限周波数をＦＬと呼び、中音域の上限周波数をＦＨと呼ぶ。
【００２０】
図２は、ヘッドピースの斜視図である。ヘッドピース１０は、放音口１１０を有する上部の本体部１０１と、本体部１０１の上面に配置された天板１０２と、下部のスカート１０６を備えている。本体部１０１の形状は略立方体である。ヘッドピース１０の底板１０３には、その中央部に円形の開口部１０３Ａが形成されている。開口部１０３Ａの口径は、スピーカユニット２１１Ｃの口径とほぼ同じである。
【００２１】
本体部１０１の内側には、背板１０４である２つの側面１１３，１１４に挟まれた辺の下側の頂点１０５Ｃと、放音口１１０である（切り欠かかれた）２つの側面１１１、１１２の上辺とをつなぐ２つの三角形の面であるリフレクタ１０５（１０５Ａ，１０５Ｂ）が形成されている。本体部１０１は略立方体であるため、リフレクタ１０５の左右の面１０５Ａ、１０５Ｂは、それぞれ底板１０３などの水平面に対して約４５度の角度をなしている。
【００２２】
スピーカユニット２１１Ｃの放音面は、ヘッドピース１０の下方かつ同じ中心軸で真上に向けて設置されている。また、ヘッドピース１０のリフレクタ１０５の面は、スピーカユニット２１１Ｃの放音面に対向して配置され、その傾斜角度は約４５度である。そのため、スピーカユニット２１１Ｃから上方向に放音された音声は、図２に示す矢印１３０のようにリフレクタ１０５で反射されて左右の斜め前方に広がるように伝搬される。これにより、スピーカユニット２１１Ｃから音声が上向きに放音されても、リフレクタ１０５で反射されて筐体１１側面の前面側から前方左右方向に、損失少なく伝搬することが可能になる。
【００２３】
図３は、スピーカグリル１２の内部に設けられているＬＥＤ２５の光がスピーカグリル１２を透過する形態を説明する図である。図４は、スピーカ装置１の設置形態の一例を示す図である。図５は、スピーカ装置から壁８０に投影されるＬＥＤ２５の光とスピーカーグリル１２の影のパターンを示す図である。
【００２４】
スピーカグリル１２は、筺体１１の背面側の側面とほぼ面一に形成されており、左右の側面に渡って湾曲している。スピーカグリル１２は、スピーカユニット２１，２２の保護を第一の目的とする、複数の孔が形成された網目状の板材であり、例えばエキスパンドメタルが用いられる。スピーカグリル１２の内部には、図３に示すように複数のＬＥＤ２５が上下に所定の間隔をあけて設けられている。
【００２５】
図４に示すように、スピーカ装置１は、部屋の隅や壁面に沿って壁８０を背にして設置される。スピーカグリル１２内に設けられているＬＥＤ２５の光が、壁８０に向けて投射されるため、スピーカグリル１２の紋様が壁８０に投影され、一般のスピーカ装置とは異なり装飾的なインテリアとしても機能する。
【００２６】
スピーカグリル１２の内部に設けられている複数（５つ）のＬＥＤ２５が発光すると、各ＬＥＤ２５の光は、スピーカグリル１２の網の目を通過することで、それぞれ光と影のパターン（紋様）となる。そして、各ＬＥＤ２５のパターンは、図３に示すように、互いに重なり合いながら壁８０に投影される。図３では、スピーカグリル１２を１本の線で表しているが、スピーカグリル１２は、図１に示したように、筐体１１の形状に合わせて左右に湾曲しているため、壁８０に投影されるパターンがより複雑になり、装飾性を高いパターンとなる。
【００２７】
図５は、スピーカ装置から壁８０に投影されるＬＥＤ２５の光とスピーカグリル１２の影のパターンを示す図である。この図はスピーカグリル１２としてエキスパンドメタルを横向きに用いた例を示している。エキスパンドメタルを横向きに用いると、横長の菱形の開口パターンを持つスピーカグリル１２となる。この開口パターンを透過した複数の光が重なり合うと、図５に示すような横斜め方向に広がりのある交差した光と影のパターンが壁８０に投影される。
【００２８】
筺体１１の回路ボックス３２には電子回路１５が内蔵されている。図６は、電子回路１５の主要部のブロック図である。電子回路１５は、制御部５０、信号処理部２０１、スピーカ駆動部２０２、入力選択部５３、Ｂｌｕｅｔｏｏｔｈ（登録商標）通信回路５４、ケーブルコネクタ５５、ＬＥＤ点灯回路５６などを有している。ＬＥＤ点灯回路５６には、図３に示したＬＥＤ２５が接続されている。
【００２９】
制御部５０はマイコンで構成される。制御部５０には、Ｂｌｕｅｔｏｏｔｈ通信回路５４が接続されている。Ｂｌｕｅｔｏｏｔｈ通信回路５４は、コントローラ機能を有する多機能携帯電話機スマートフォン）などの機器から受信したコマンドを制御部５０に入力する。制御部５０は、Ｂｌｕｅｔｏｏｔｈ通信回路５４から入力されたコマンドに基づいて、信号処理部２０１の設定や入力選択部５３が入力する信号の選択などを行う。また、制御部５０は、予め設定されたスケジュールに従って、オーディオ信号の入力や照明（ＬＥＤ２５）をオン／オフする。このスケジュールもスマートフォンからＢｌｕｅｔｏｏｔｈ経由で受信する。
【００３０】
入力選択部５３にはＢｌｕｅｔｏｏｔｈ通信回路５４およびケーブルコネクタ５５が接続されている。入力選択部５３は、制御部５０から入力される選択信号により、Ｂｌｕｅｔｏｏｔｈ通信回路５４またはケーブルコネクタ５５のいずれかを選択し、そこから入力されるオーディオ信号を信号処理部２０１に入力する。制御部５０は、入力選択部５３をＢｌｕｅｔｏｏｔｈ通信回路５４側に切り換えたとき、Ｂｌｕｅｔｏｏｔｈ通信回路５４を介してスマートフォンにアクセスしてオーディオ信号（楽曲）を送信させる。
【００３１】
信号処理部２０１は、入力選択部５３から入力された（２チャンネルステレオ）のオーディオ信号の音質を調整するとともに、左右チャンネルの信号から中音域の成分を取り出してこれを合成し、第３チャンネル（センタチャンネル）のオーディオ信号として出力する。また、信号処理部２０１は、センタチャンネルのオーディオ信号を遅延させることにより、各スピーカユニット２１０Ｌ，Ｒおよび２１１Ｃから放音される音声のユーザへの到達時間を一致させる。スピーカ駆動部２０２は、３チャンネルのアンプを有しており、それぞれ左チャンネル、右チャンネルおよび中音域のオーディオ信号を増幅し、増幅した信号をそれぞれスピーカユニット２１０Ｌ、Ｒおよびスピーカユニット２１１Ｃに出力する。ＬＥＤ点灯回路５６は、制御部５０の指示に応じて、ＬＥＤ２５を点灯または消灯する。
【００３２】
制御部５０は、タイマ機能を有しており、スマートフォンを用いてユーザにより設定されたスケジュールに従って、オーディオ信号の入力と照明（ＬＥＤ２５）のオン／オフを行う。
【００３３】
図７は、上記のリモコン機能を備えた多機能携帯電話機（以下、単に携帯電話機と呼ぶ）スピーカ装置１とＢｌｕｔｏｏｔｈで通信し、音響設定を行うＤＴＡコントローラアプリケーションプログラム３５０が実行される携帯電話機３００のブロック図である。なお、ＤＴＡコントローラアプリケーションプログラム３５０が実行されている携帯電話機３００は、機能的に図８に示すＤＴＡコントローラ４００を構成する。
【００３４】
携帯電話機３００は、バス３２６上に、制御部３２０、操作部３３０、メディアインタフェース３３１、３Ｇ／４Ｇ通信回路３３２、Ｂｌｕｅｔｏｏｔｈ通信回路３３３、および、Ｗｉ−Ｆｉ通信回路３３４を有している。制御部３２０は、ＣＰＵ３２１、ＲＯＭ（フラッシュメモリ）３２２、ＲＡＭ３２３、画像プロセッサ３２４および音声プロセッサ３２５を含んでいる。画像プロセッサ３２４には、ビデオＲＡＭ（ＶＲＡＭ）３４０が接続され、ＶＲＡＭ３４０には表示部３４１が接続されている。表示部３４１は、液晶のディスプレイを含み、待ち受け画面や電話番号などを表示する。また、ＤＴＡコントローラ４００の画面も表示部３４１に表示される。音声プロセッサ３２５には、Ｄ／Ａコンバータを含むアンプ３４２が接続され、アンプ３４２にはスピーカ３１６が接続されている。
【００３５】
画像プロセッサ３２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ３２４は、ＤＴＡコントローラアプリケーションプログラム３５０が起動された場合には、ＣＰＵ３２１の指示に従って図１１〜１４に示すようなＤＴＡコントローラの画像を生成し、これをＶＲＡＭ３４０上に展開する。ＶＲＡＭ３４０上に展開された画像は表示部３４１に表示される。
【００３６】
音声プロセッサ３２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ３２５は、デコード／生成した音声をアンプ３４２に出力する。アンプ３４２は、この音声信号を増幅してスピーカ３１６に出力する。
【００３７】
ＲＯＭ３２２、メモリカード３１５には、楽曲のオーディオファイル（ｍｐ３など）も記憶される。音声プロセッサ３２５は、このファイルを読みだして、デコードし再生する。再生された楽曲（オーディオ信号）は、アンプ３４２で増幅されてスピーカ３１６から放音され、または、Ｂｌｕｅｔｏｏｔｈ通信回路３３３によって通信相手機器（スピーカ装置１など）に送信される。
【００３８】
３Ｇ／４Ｇ通信回路３３２は、携帯電話通信網を介して、音声通話およびデータ通信を行う。データ通信によってＤＴＡコントローラなどのアプリケーションプログラムのダウンロードが行われる。なお、アプリケーションプログラムの取得は、３Ｇ／４Ｇ通信でダウンロードするのみならず、Ｗｉ−Ｆｉ通信やＵＳＢなどのインタフェース経由で取得するようにしてもよい。
【００３９】
Ｂｌｕｅｔｏｏｔｈ通信回路３３３は、相手装置として選択設定した（ペアリングした）機器と通信する。ＤＴＡコントローラアプリケーションプログラム３５０（ＤＴＡコントローラ４００）は、スピーカ装置１と通信し、上述のスケジュールや楽曲のオーディオ信号を送信する。
【００４０】
Ｗｉ−Ｆｉ通信回路３３４は、無線アクセスポイントとの間でＩＥＥＥ８０２．１１ｇ規格の無線通信を行う。スピーカ装置１との通信は、ＤＬＮＡ（Ｄｉｇｉｔａｌ  Ｌｉｖｉｎｇ  Ｎｅｔｗｏｒｋ  Ａｌｌｉａｎｃｅ）であってもよい。
【００４１】
操作部３３０は、表示部３４１上に形成されたタッチパネルを含み、タッチパネル上のタッチ操作、フリック操作を検出する。メディアインタフェース３３１にはメモリカード３１５が接続される。メモリカード３１５は、たとえばマイクロＳＤカードである。３Ｇ／４Ｇ通信回路３３２によってサーバからダウンロードされたアプリケーションプログラムは、メモリカード３１５またはＲＯＭ３２２に保存される。この携帯電話機３００では、図８に示すように、ＤＴＡコントローラアプリケーションプログラム３５０がメモリカード３１５に保存されている。なお、ＤＴＡコントローラアプリケーションプログラム３５０は、プログラム本体に加えてプログラムの実行に必要なデータを含んでいる。
【００４２】
ＲＯＭ３２２には、この携帯電話機３００の通話やアプリケーションプログラムを実行するための基本プログラムが記憶されている。また、ＲＯＭ３２２はフラッシュメモリであり、基本プログラムのほか、ダウンロードされたアプリケーションプログラムなどを記憶することも可能である。ＲＡＭ３２３には、ＣＰＵ３２０がＤＴＡコントローラアプリケーションプログラム３５０を実行する際に使用されるワークエリアが設定される。
【００４３】
携帯電話機３００は、メモリカード３１５に保存されているＤＴＡコントローラアプリケーションプログラム３５０との協働によって、図８に示すようなＤＴＡコントローラ４００を構成し、Ｂｌｕｅｔｏｏｔｈ経由でスピーカ装置１にメッセージを送信してスピーカ装置１を制御する。
【００４４】
図８の機能ブロック図を参照して、携帯電話機３００（ハードウェア）にＤＴＡコントローラアプリケーションプログラム３５０が読み込まれることによって実現されるＤＴＡコントローラ４００、および、スピーカ装置１のスケジュール処理機能部４５０について説明する。ＤＴＡコントローラ４００は、操作画面表示部４０１、操作検出部４０２、オーディオ再生部４０３、スケジュール取得部４０４、および、スケジュール設定部４０５を有している。また、スピーカ装置１のスケジュール処理機能部４５０は、スケジュール記憶部４５１、スケジュール実行部４５２およびオーディオ受信部４５３を有している。なお、スピーカ装置１のオン／オフのスケジュールは図９のテーブルのような内容でスケジュール記憶部４５１に記憶されている。
【００４５】
まず、ＤＴＡコントローラ４００において、操作画面表示部４０１は、制御部３２０、ＶＲＡＭ３４０、表示部３４１およびＤＴＡコントローラアプリケーションプログラム３５０の協働によって実現され、携帯電話機３００の表示部３４１に、各種の操作画面を表示する。また、操作検出部４０２は、制御部３２０、操作部３３０およびＤＴＡコントローラアプリケーションプログラム３５０の協働によって実現され、表示部３４１に表示された操作画面に対する操作（たとえばスケジュールの設定操作）を検出する。検出された操作情報は、スケジュール設定部４０５に入力される。
【００４６】
スケジュール設定部４０５は、制御部３２０、Ｂｌｕｅｔｏｏｔｈ通信回路３３３およびＤＴＡコントローラアプリケーションプログラム３５０の協働によって実現される。スケジュール設定部４０５は、操作検出部４０２から入力されたスケジュールの操作情報をメッセージに編集してスピーカ装置１（スケジュール処理機能部４５０）に送信する。
【００４７】
スケジュール取得部４０４は、制御部３２０、Ｂｌｕｅｔｏｏｔｈ通信回路３３３およびＤＴＡコントローラアプリケーションプログラム３５０の協働によって実現される。スケジュール取得部４０４は、スピーカ装置１に対して、現在設定されているスケジュールを問い合わせ、スピーカ装置１の現在のスケジュールをスケジュール記憶部４５１から取得する。取得された動作状態は、図１１に示すスケジュール設定画面５３０において、スケジュール情報の初期値として反映される。
【００４８】
次に、スピーカ装置１のスケジュール処理機能部４５０は、スケジュール記憶部４５１、スケジュール実行部４５２およびオーディオ受信部４５３を有している。これら機能部は、スピーカ装置１の制御部５０、必要な回路およびプログラムで構成される。スケジュール記憶部４５１は、ＤＴＡコントローラ４００のスケジュール設定部４０５と通信し、スケジュール設定部４０５から受信したスケジュール情報を図９のようなテーブル形式で記憶する。また、スケジュール記憶部４５１は、前述のようにＤＴＡコントローラ４００の要求に対して、記憶しているスケジュール情報を送信する。
【００４９】
スケジュール実行部４５２は、タイマ機能を有しており、スケジュール記憶部４５１に記憶されているスケジュールを時間に合わせて実行する。スケジュールの実行は、入力選択部５３の切り換えや、ＬＥＤ点灯回路５６の制御などを含んでいる。
【００５０】
オーディオ受信部４５３は、ＤＴＡコントローラ４００のオーディオ再生部４０３とＢｌｕｅｔｏｏｔｈで通信し、楽曲のオーディオ再生信号を受信する。受信されたオーディオ信号は、入力選択部５３を介して信号処理部２０１に入力される。
【００５１】
ここで、図９のスケジュールテーブルを参照して、スピーカ装置１のスケジュールについて説明する。スケジュールテーブルには、複数のスケジュール情報が記憶される。スケジュール情報は、大別してオンタイマ情報、オフタイマ情報に区分される。オンタイマ情報は、決められた時刻に照明、オーディオの一方または両方をオンするための情報である。オフタイマ情報は、決められた時刻に照明、オーディオの一方または両方をオフするための情報である。図９にはオンタイマ情報、オフタイマ情報をそれぞれ１つずつ記載しているが、スケジュールテーブルには、オンタイマ情報、オフタイマ情報ともに複数（たとえば１０）記憶可能である。
【００５２】
オンタイマ情報は、基本情報であるタイマ時刻Ｔｏｎ、繰り返し情報、照明制御情報である有効／無効情報Ｅｌｎ、第１輝度情報Ｌ１、変化時間Ｔｎｄ，第２輝度情報Ｌ２、および、オーディオ制御情報である有効／無効情報Ｅａｎ、入力選択情報ＢＴ／Ｌｉｎｅ、曲名、ボリューム値Ｖｏｌからなる。タイマ時刻Ｔｏｎは、このオンタイマ情報を実行する時刻、すなわち、照明および／またはオーディオをオンする時刻である。繰り返し情報は、このオンタイマ情報を何日に実行するか定める情報である。たとえば、繰り返し情報が「１回」であれば直近の設定時刻にこのオンタイマ情報が１回だけ実行される。繰り返し情報が「毎日」であれば毎日設定時刻になるとこのオンタイマ情報が実行される。また、繰り返し情報が「金曜日」であれば毎週金曜日に設定時刻になるとこのオンタイマ情報が実行される。
【００５３】
照明制御情報の有効／無効情報Ｅｌｎは、タイマ時刻に照明（ＬＥＤ２５）の点滅・輝度を制御するか否かを示す情報である。Ｅｌｎが「有効」であれば、第１輝度情報Ｌ１、変化時間Ｔｎｄ，第２輝度情報Ｌ２に基づき、以下のような輝度制御を行う。Ｅｌｎが「無効」であれば、このオンタイマ情報では照明の制御を行わない。第１輝度情報Ｌ１は、タイマ時刻ＴｏｎになったときにＬＥＤ２５を点灯する輝度を示す情報である。変化時間Ｔｎｄ，第２輝度情報Ｌ２は、オプション情報であり、タイマ時刻ＴｏｎにＬ１でＬＥＤ２５を点灯させたのち、徐々に輝度を変化させる場合に設定される。オンタイマ情報に変化時間Ｔｎｄ，第２輝度情報Ｌ２が設定されていると、制御部５０（スケジュール実行部４５２）は、タイマ時刻ＴｏｎにＬＥＤ２５をＬ１で点灯させたのち、変化時間Ｔｎｄをかけて徐々にＬＥＤ２５の輝度をＬ２まで変化させる。輝度の変化曲線は任意であり、ユーザによって設定可能であってもよい。なお、オンタイマ情報に変化時間Ｔｎｄ，第２輝度情報Ｌ２が設定されていない場合は、タイマ時刻ＴｏｎにＬＥＤ２５を点灯させたのち、Ｌ１の輝度を変化させない。
【００５４】
オーディオ制御情報の有効／無効情報は、Ｅａｎタイマ時刻にオーディオ再生の制御を行うか否かを示す情報である。Ｅａｎが「有効」であれば、Ｖｏｌ、曲名などの情報に基づいてオーディオ再生の制御を行う。Ｅａｎが「無効」であれば、このオンタイマ情報ではオーディオ再生の制御を行わない。入力選択情報ＢＴ／Ｌｉｎｅは、入力選択部５３をＢｌｕｅｔｏｏｔｈ通信回路５４側またはケーブルコネクタ５５側のどちらに切り換えるかを決定する切り換え情報である。ボリューム値Ｖｏｌはオーディオ信号の再生ボリュームを示す値であり、タイマ時刻Ｔｏｎに信号処理部２０１に設定される。また、テーブルの曲名の欄には、入力としてＢｌｕｅｔｏｏｔｈ通信回路５４を選択した場合に、通信相手（スマートフォン）の再生させる楽曲の曲名が記憶される。スケジュール実行部４５２（制御部５０）は、実行したスケジュール情報が、入力としてＢｌｕｅｔｏｏｔｈ通信回路５４を選択するよう設定されている場合、タイマ時刻にＢｌｕｅｔｏｏｔｈ通信回路５４を介して相手装置にアクセスし、「曲名」の欄に記憶されている曲名の楽曲を再生するよう要求する。これにより、タイマ時刻からスマートフォンを用いた楽曲の再生を開始することができる。
【００５５】
一方、オフタイマ情報は、基本情報であるタイマ時刻Ｔｏｆ、繰り返し情報、照明制御情報である有効／無効情報Ｅｌｆ、変化時間Ｔｆｄ、および、オーディオ制御情報である有効／無効情報Ｅａｆ、変化時間Ｔａｄからなる。タイマ時刻Ｔｏｆは、このオフタイマ情報を実行する時刻、すなわち、照明および／またはオーディオをオフする時刻である。繰り返し情報は、オンタイマの情報の繰り返し情報と同じく、このオフタイマ情報を何日に実行するか定める情報である。
【００５６】
照明制御情報の有効／無効情報Ｅｌｆは、タイマ時刻に照明（ＬＥＤ２５）の点滅・輝度を制御するか否かを示す情報である。Ｅｌｆが「有効」であれば、タイマ時刻Ｔｏｆに照明を消灯する。このとき、変化時間Ｔｆｄとして０より大きい数値が記憶されている場合には、このタイマ時刻Ｔｏｆから変化時間Ｔｆｄをかけて、照明を徐々に暗くしてゆきＴｏｆ＋Ｔｆｄの時刻に照明を完全に消灯させる。輝度の変化曲線は任意であり、ユーザによって設定可能であってもよい。Ｅｌｆが「無効」であれば、このオフタイマ情報では照明の制御を行わない。
【００５７】
オーディオ制御情報の有効／無効情報Ｅａｆは、タイマ時刻にオーディオの再生を制御するか否かを示す情報である。Ｅａｆが「有効」であれば、タイマ時刻Ｔｏｆにオーディオ再生を停止させる。このとき、変化時間Ｔａｄとして０より大きい数値が記憶されている場合には、このタイマ時刻Ｔｏｆから変化時間Ｔａｄをかけて、ボリュームを徐々に小さくしてゆきＴｏｆ＋Ｔｆｄの時刻にボリュームを完全に０にしてオーディオの再生を停止させる。ボリュームの変化曲線は任意であり、ユーザによって設定可能であってもよい。Ｂｌｕｅｔｏｏｔｈを経由してスマートフォンから楽曲のオーディオ信号を受信している場合は、信号処理部２０１に設定するボリューム値が０になったとき、スマートフォンに対して楽曲の再生の停止を指示する。Ｅａｆが「無効」であれば、このオフタイマ情報ではオーディオ再生の制御を行わない。
【００５８】
図１０は、ＤＴＡコントローラ４００でスピーカ装置１のボリュームやスケジュールを制御する場合に表示される表示画面のツリー構造を示す図である。図１１〜図１４は、表示画面のうちのスケジュール設定画面の例を示す図である。
【００５９】
図１０において、ＤＴＡコントローラ４００が起動すると、操作画面表示部４０１により、表示部３４１上にトップ画面５０１が形成される。トップ画面５０１には、再生ボタン５０２、スケジュールボタン５０３、設定ボタン５０４が表示される。トップ画面５０１で再生ボタン５０２がタップ（短く押す操作）されると、表示部３４１上に形成される画面がトップ画面５０１から再生画面５２０に移行する。再生画面５２０には、ソース機器を選択する操作部やプレイボタン、停止ボタンなどの操作ボタン群が表示される。
【００６０】
トップ画面５０１でスケジュールボタン５０３がタップされると、表示部３４１上に形成される画面が、トップ画面５０１から、図１１に示すスケジュール画面５３０に移行する。また、トップ画面５０１で設定ボタン５０４がタップされると、表示部３４１上に形成される画面が、トップ画面５０１から、Ｂｌｕｅｔｏｏｔｈのペアリング処理や時計の同期などを行うための設定画面５２２に移行する。
【００６１】
図１１は、表示部３４１上に形成されたスケージュル画面５３０の一例を示す図である。スケジュール画面５３０には、スケジュール機能（スマートタイマー）をオン／オフするスイッチ５３１、オンタイマ情報一覧ウィンドウ５３２、オフタイマ情報一覧ウィンドウ５３３、および、戻るボタン５３４が表示される。このうち、オンタイマ情報一覧ウィンドウ５３２に表示されているいずれかのオンタイマ情報（１〜４）をタップすると、表示部３４１上に形成される画面が、図１２に示すオンタイマ情報設定画面（「タイマーを編集」）５４０に移行する。戻るボタン５３４がタップされると、それまでこの画面、および、この下位階層でセットされた内容を保持して、表示部３４１上に形成される画面を、図１０のトップ画面５０１に移行させる。
【００６２】
オンタイマ情報設定画面５４０には、完了ボタン５４１、キャンセルボタン５４２、繰り返し設定ボタン５４３、照明設定ボタン５４４、オーディオ（サウンド）設定ボタン５４５、および、タイマ時刻設定ダイヤル５４６が表示される。タイマ時刻設定ダイヤル５４６は、ユーザのフリックによって数値の表示がスクロールする。中央の枠内に表示された数値が時刻の時、分として設定される。繰り返し設定ボタン５４３がユーザによってタップされると、繰り返し条件のリストが表示される。繰り返し条件は、たとえば、１回、毎日、週日、土日、月、火、水、木、金、土、日などである。ユーザはそのうちの１または複数を選択して繰り返し条件を設定する。図１１のオンタイマ情報一覧ウィンドウ５３２の表示例は、繰り返し条件として「毎日」が選択された状態の例を示している。
【００６３】
照明設定ボタン５４４がオンされると、表示部３４１上に形成される画面が、図１３に示す照明設定画面（「照明」）５５０に移行する。照明設定画面５５０には、オン／オフボタン５５１、輝度設定スライダ５５２、および、戻るボタン５５３が表示される。オン／オフボタン５５１は、照明のオン／オフを設定するボタンではなく、このオンタイマ情報で照明を制御するか否か、すなわち、スケジュールテーブルのＥｌｎのセット／リセットを設定するスイッチである。輝度設定スライダ５５２は、タイマ時刻Ｔｏｎ時に照明（ＬＥＤ２５）を点灯させる輝度を設定する操作子である。スライダ５５２は、ユーザの操作によって移動し、その位置に応じて０〜１０の輝度（第１輝度情報Ｌ１）が設定される。戻るボタン５５３がタップされると、そのとき設定されている内容（オン／オフボタン５５１のオン／オフ、輝度設定スライダ５５２の値）を保存して、表示部３４１上に形成される画面をオンタイマ情報設定画面５４０に戻す。なお、説明の簡略化のために、第２輝度情報Ｌ２、変化時間Ｔｎｄの設定操作子の説明は省略する。
【００６４】
オンタイマ情報設定画面５４０でオーディオ設定ボタン５４５がオンされると、表示部３４１上に形成される画面が、図１４に示すオーディオ設定画面（「サウンド」）５６０に移行する。オーディオ設定画面５６０には、オン／オフボタン５６１、ボリューム設定スライダ５５２、曲追加ボタン５６３、曲削除ボタン５６４、曲名ウィンドウ５６５、および、戻るボタン５６６が表示される。オン／オフボタン５６１は、オーディオ再生のオン／オフを設定するボタンではなく、このオンタイマ情報でオーディオ再生を制御するか否か、すなわち、スケジュールテーブルのＥａｎのセット／リセットを設定するスイッチである。ボリューム設定スライダ５６２は、タイマ時刻Ｔｏｎ時に信号処理部２０１に設定するボリューム値（Ｖｏｌ）を設定する操作子である。スライダ５６２は、ユーザの操作によって移動し、その位置に応じて０〜６０のボリューム値Ｖｏｌが設定される。
【００６５】
曲追加ボタン５６３は、タイマ時刻から再生を開始する楽曲を選択するためのボタンである。ユーザによってこのボタンがクリックされると、この携帯電話機３００に記憶されている楽曲のリストが表示され、ユーザはそのなかから所望の曲をプレイリストとして選択することができるようになる。プレイリストの楽曲の曲名および演奏時間は、曲名ウィンドウ５６５に表示される。プレイリストとして選択可能な曲数は複数であってよく、曲名ウィンドウ５６５は、一覧で、または、スクロールにより、プレイリストの全ての楽曲の曲名および演奏時間を表示する。また、曲削除ボタン５６４は、プレイリストの楽曲をプレイリストから削除するためのボタンである。ユーザが曲名ウィンドウ５６５に表示されている楽曲の１つをタップして選択し、その状態で曲削除ボタン５６４がタップされると、選択状態の楽曲がプレイリストから削除される。
【００６６】
戻るボタン５６６がタップされると、そのとき設定されている内容（オン／オフボタン５６１のオン／オフ、ボリューム設定スライダ５６２の値、プレイリスト）を保存し、表示部３４１上に形成される画面をオンタイマ情報設定画面５４０に戻す。なお、説明の簡略化のために、ＢＴ／Ｌｉｎｅの入力選択操作子の説明は省略する。
【００６７】
オンタイマ情報設定画面５４０で完了ボタン５４１がタップされると、このオンタイマ情報設定画面５４０、および、下位の照明設定画面５５０、オーディオ設定画面５６０で設定された内容を保存し、図１１のスケージュル画面５３０に戻る。この画面で右下の同期ボタン５３５がタップされると、現在設定されているスマートタイマーのオン/オフ、および全てのオンタイマ情報、オフタイマ情報がスピーカ装置１のスケジュール記憶部４５１に送信される。また図１２において、キャンセルボタン５４２がタップされると、このオンタイマ情報設定画面５４０および下位の画面で設定された内容を破棄して、表示部３４１上に形成される画面をスケジュール情報設定画面５３０に戻す。
【００６８】
オフタイマ情報を設定するための画面については、図示および説明を省略するが、オンタイマ情報設定画面５４０、および、その下位の画面と類似したものである。なお、この実施形態のいずれの構成部も、本発明の趣旨を損なわない範囲で変形は自由である。
なお、スピーカー装置１にスマートタイマーの情報を送信するのはイベント変更があるたびに随時送信するようにしてもよい。
【符号の説明】
【００６９】
１  スピーカ装置
１０  ヘッドピース
１１  筐体
１５  電子回路
２０１  信号処理部
２０２  スピーカ駆動部
２１０Ｌ，Ｒ、２１１Ｃ  スピーカユニット
３００  携帯電話機
４００  ＤＴＡコントローラ
４５０  スケジュール処理機能部
【図１】
0006004190.tif 000002
【図２】
0006004190.tif 000003
【図３】
0006004190.tif 000004
【図４】
0006004190.tif 000005
【図６】
0006004190.tif 000006
【図７】
0006004190.tif 000007
【図８】
0006004190.tif 000008
【図９】
0006004190.tif 000009
【図１０】
0006004190.tif 000010
【図１１】
0006004190.tif 000011
【図１２】
0006004190.tif 000012
【図１３】
0006004190.tif 000013
【図１４】
0006004190.tif 000014
【図５】
0006004190.tif 000015